【手続補正書】
【提出日】平成21年11月30日(2009.11.30)
【手続補正１】
【補正対象書類名】明細書
【補正対象項目名】００１２
【補正方法】変更
【補正の内容】
【００１２】
ガイド板部２２は、本体板部２０の幅方向の両端で、接片１６が設けられた側に位置する本体板部２０の厚さ方向の半部から本体板部２０の厚さよりも小さい寸法の厚さで突出しつつ本体板部２０の長さ方向に延在形成されている。詳細には、ガイド板部２２は本体板部２０の前端から後端寄りの箇所にわたって設けられている。
本実施の形態では、図３、図４に示すように、本体板部２０の幅方向両端において、本体板部２０の前端から後方に延在する第１のガイド板部２２Ａと、この第１のガイド板部２２Ａの後端の後方からさらに後方に延在する第２のガイド板部２２Ｂとが設けられている。  そして、第１のガイド板部２２Ａの後端と第２のガイド板部２２Ｂの前端との間に幅方向内側に窪む第１凹部２４が設けられ、また、第２のガイド板部２２Ｂの後端と膨出部２０１０の前端との間に幅方向内側に窪む第２凹部２６が設けられている。すなわち、それら凹部２４、２６は、複数のガイド板部２２Ａ、２２Ｂの間に、それらガイド板部２２Ａ、２２Ｂが設けられないことで本体板部２０の幅方向の外側に開放状に形成されている。
このようなガイド板部２２は、メモリカードの上下を反転させた状態でのカードコネクタまたはカードスロットへの誤挿入の防止を図るためのものである。
また、第２凹部２６は、メモリカード１０Ａ、１０Ｂがカードコネクタやカードスロットに挿入された際に、カードコネクタやカードスロットのロック機構が嵌合する箇所となっており、この第２凹部２６にロック機構が嵌合することでメモリカード１０Ａ、１０Ｂの挿入状態がロックされるように設けられている。
２つの第２凹部２６は長さ方向で同一の位置であり、かつ、第１凹部２４と突起２００４の間に位置している。
第１凹部２４は、前記カードコネクタやカードスロットに設けられた検出スイッチなどによって検出されることで新メモリカード１０Ｂの種類などを判別するために設けられている。あるいは、第１凹部２４は、前記カードコネクタやカードスロットに設けられたカム機構を介して前記カードコネクタやカードスロットに設けられた接片をメモリカードの接片１６に対して接離させるために用いられる場合もある。
【手続補正２】
【補正対象書類名】明細書
【補正対象項目名】００１３
【補正方法】変更
【補正の内容】
【００１３】
次に図７を参照して接片１６について簡単に説明する。
図７（Ａ）はメモリカード１０Ａ、１０Ｂの接片１６と信号名の対応の一例を示す図である。
接片１６は、図３に示すように、接片１６−１〜１６−２０の２０個の接片で構成されており、図７（Ａ）に示すように、接片１６−１０、１６−１１、１６−１２、１６―１７〜１６−２０が未使用であり、残り１３個の接片に信号が割り当てられている。
すなわち、複数の接片１６は、コントローラ１００４に対して信号の授受を行う信号端子と、記憶部１００２およびコントローラ１００４に対してグランド電位を供給するためのグランド端子と、記憶部１００２およびコントローラ１００４に対して電源を供給するための電源端子を含んでいる。
【手続補正３】
【補正対象書類名】明細書
【補正対象項目名】００２０
【補正方法】変更
【補正の内容】
【００２０】
上述のことから、図８（Ｃ）に示すように、旧メモリカード１０Ａは、第１、第２のカードスロット４Ａ、４Ｂの何れにも挿入することができる。
また、新メモリカード１０Ｂは、第２のカードスロット４Ｂには挿入できるが、第１のカードスロット４Ａへの挿入が阻止される。詳細には、新メモリカード１０Ｂの本体板部２０の幅ＷｈＢが第１のカードスロット２Ａの第２の開口部６００４の幅Ｗ２Ａよりも大きいので、新メモリカード１０Ｂの第１のカードスロット４Ａへの挿入が阻止される。
したがって、本実施の形態の新メモリカード１０Ｂによれば、新メモリカード１０Ｂの本体板部２０の幅ＷｈＢを旧メモリカード１０Ａの本体板部２０の幅ＷｈＡよりも大きくするといった極めて簡単な構成により、新メモリカード１０Ｂに対応しない電源電圧で動作する電子機器のカードスロットへの新メモリカード１０Ｂの挿入が阻止される。
そのため、電源が対応しない電子機器にメモリカードを挿入してメモリカードが動作しないといった誤動作を確実に防止する上で有利となる。
また本実施の形態の第２のカードスロット４Ｂを有する電子機器８０によれば、新旧メモリカード１０Ａ，１０Ｂ双方の使用が可能となる。
【手続補正４】
【補正対象書類名】明細書
【補正対象項目名】００２２
【補正方法】変更
【補正の内容】
【００２２】
なお、図９に示すように、指掛け用の突起２００４に代えて指掛け用の凹部２００４Ａを設けてもよいが、その場合には、凹部２００４Ａを設けた箇所の本体板部２０が薄くなり、本体板部２０に設けられる記憶部１００２、コントローラ１００４、電源ＩＣ１００６などの電子部品の収容スペースや配線スペースを確保する上で不利となる。
これに対して、本実施の形態では、図３、図５に示すように、本体板部２０の厚さ方向の一方の面から突出し幅方向に延在する指掛け用の突起２００４を設けたので、メモリカード１０Ｂをカードスロットから抜き出す際に指を突起２００４に引っ掛けることで操作性を向上することができることは無論のこと、突起２００４を設けることにより、この突起２００４が設けられた本体板部２０の容積を確保でき、本体板部２０に設けられる記憶部１００２、コントローラ１００４、電源ＩＣ１００６などの電子部品の収容スペースや配線スペースを確保する上で有利となる。
【手続補正５】
【補正対象書類名】明細書
【補正対象項目名】００２４
【補正方法】変更
【補正の内容】
【００２４】
また、図１１（Ａ）に示すように、本体板部２０の幅方向両端で長さ方向に延在する２辺のうちの一辺に２つの凹部２４、２６を設け、他の一辺に１つの凹部２６を設けた旧メモリカード１０Ａに対して、新メモリカード１０Ｂでは、各辺にそれぞれ２つの凹部２４、２６を設けた。
したがって、追加した１つの凹部２６をメモリカードの種類を判別するためなどに利用することができ有利である。
すなわち、図１１（Ｃ）、（Ｄ）に示すように、追加した１つの凹部２６を検出する検出スイッチ３０を電子機器のカードスロットあるいはカードコネクタに設けると、電子機器とメモリカードとの間でメモリカードの種類を判別するための通信動作が不要となり、メモリカードと電子機器との間で行われるデータ通信の動作を高速化する上で有利となる。
【手続補正６】
【補正対象書類名】明細書
【補正対象項目名】００２６
【補正方法】変更
【補正の内容】
【００２６】
すなわち、図１５（Ａ）、（Ｂ）および図１６（Ａ）、（Ｂ）に示すように、新メモリカード１０Ｂを挿入口５８からカードスロット５０に装着していくと、ガイド板部２２により係止片６０が新メモリカード１０Ｂの幅方向外方に変形し、カードスロット５０の装着方向への移動が許容される。
第１凹部２４では係止片６０が第１凹部２４内に突出するが、さらなるカードスロット５０の装着方向への移動により、再度ガイド板部２２により係止片６０が新メモリカード１０Ｂの幅方向外方に変形し、カードスロット５０の装着方向への移動が許容される。
やがて、新メモリカード１０Ｂがカードスロット５０に完全に装着されると、係止片６０が第２凹部２６に移動し、図１７に示すように、新メモリカード１０Ｂの幅方向に延在する係止片６０の部分が、第２凹部２６の前端側の側縁２６０２に係止する。ここで、第２凹部２６の側縁２６０２は新メモリカード１０Ｂの幅方向に延在しているので、新メモリカード１０Ｂが後方に移動しようとしても、係止片６０は新メモリカード１０Ｂの幅方向外方に変形できず、したがって以後、新メモリカード１０Ｂは後方への移動が阻止された状態となる。
このように新メモリカード１０Ｂがカードスロット５０に装着されると、新メモリカード１０Ｂの各接片１６にカードスロット５０の各接片５２が接続された状態となる。
【手続補正７】
【補正対象書類名】図面
【補正対象項目名】図１５
【補正方法】変更
【補正の内容】
【図１５】
2008146120.tif 000001